(57)【要約】【課題】  外部機器を接続可能として、増設親機を設けなくても居室親機或いは玄関子機との通信を可能とする。【解決手段】  居室親機２の増設親機用インターフェイスにアダプタ３を接続し、アダプタ３に外部機器４を接続した。アダプタ３は、増設親機用インターフェイスに対応する居室親機用インターフェイスとしての幹線通信部３１、アダプタ３の状態遷移を実施する状態遷移部３２、アダプタ３自身の状態を監視する状態監視部３３、状態監視部３３からの状態の遷移情報に基づいて外部機器４と通信を行うための通信部３４、接続された外部機器４からの信号を受けて増設親機が出力するボタン操作信号に相当する操作信号を居室親機２に出力する制御を行うボタンインターフェイス部３５を備えている。【選択図】  図１
2005286836.tif 000002
【特許請求の範囲】
【請求項１】
玄関子機と、増設親機用インターフェイスを備えて増設親機が接続可能な居室親機とを有するインターホン装置において、
前記居室親機には、前記増設親機用インターフェイスを介して外部機器を接続可能とするアダプタが接続され、
前記アダプタは、前記増設親機用インターフェイスに対応する居室親機用インターフェイスと、前記アダプタ自身の状態を監視する状態監視部と、前記状態監視部の状態遷移情報に基づいて接続される外部機器と通信を行うための通信部と、前記外部機器からの信号を受けて増設親機が出力するボタン操作信号に相当する操作信号を前記居室親機に出力するボタンインターフェイス部とを備え、前記居室親機と前記アダプタを介して接続した外部機器との間で通信を可能とすることを特徴とするインターホン装置。
【発明の詳細な説明】
【技術分野】
【０００１】
本発明は、玄関子機と居室親機とを有するインターホン装置に関し、特に居室親機に増設親機を接続するための増設親機用インターフェイスが設けられているインターホン装置に関する。
【背景技術】
【０００２】
玄関子機と居室親機とを備えた従来のインターホン装置において、居室親機を設置した居室以外の場所からも玄関子機の呼出に応答可能とするために、居室親機に更に居室親機（増設親機）を接続可能としたものがある。これは、居室親機に増設親機を接続するための増設親機用インターフェイスを設けると共に、増設親機に居室親機に接続するための居室親機用インターフェイスを設けて、居室親機と同等の機能を備えた増設親機を容易に接続可能とし、玄関子機からの呼び出しに複数ヶ所から応答可能としている（例えば、特許文献１参照）。
【特許文献１】特開２００３−３２４５４１号公報
【発明の開示】
【発明が解決しようとする課題】
【０００３】
上述するように、居室親機に増設親機用インターフェイスを備えることで、居室親機を変更する事無く容易に増設親機を接続でき、居室親機を設置した居室以外の場所から玄関子機と通信することが可能となった。しかし、居室親機に接続できる機器は増設親機だけであり、増設親機用インターフェイスに対応した居室親機用インターフェイスを持たない機器を接続することはできない。そのため、増設親機以外の機器を用いて玄関子機と通信することはできなかったし、インターホン装置の状態、例えば来訪者が来ているかどうかを知ることすらできなかった。
そこで、本発明はこのような問題点に鑑みて成されたもので、外部機器を接続可能として、増設親機を設けなくても居室親機或いは玄関子機との通信を可能とするインターホン装置を提供することを目的とする。
【課題を解決するための手段】
【０００４】
上記課題を解決するため、請求項１の発明は、玄関子機と、増設親機用インターフェイスを備えて増設親機が接続可能な居室親機とを有するインターホン装置において、居室親機には、増設親機用インターフェイスを介して外部機器を接続可能とするアダプタが接続され、アダプタは、増設親機用インターフェイスに対応する居室親機用インターフェイスと、アダプタ自身の状態を監視する状態監視部と、状態監視部の状態遷移情報に基づいて接続された外部機器と通信を行うための通信部と、外部機器からの信号を受けて増設親機が出力するボタン操作信号に相当する操作信号を居室親機に出力するボタンインターフェイス部とを備え、居室親機とアダプタを介して接続した外部機器との間で通信を可能とすることを特徴とする。
この構成により、アダプタは、接続した外部機器からの信号を受けて疑似ボタン操作信号を居室親機に出力する。そのため、居室親機は、あたかも増設親機が接続されているように外部機器と通信を実施することができ、増設親機を設けなくても居室親機以外の機器を用いて居室親機或いは玄関子機と通信を実施できる。
【発明の効果】
【０００５】
本発明によれば、アダプタを介することで外部機器と居室親機との間での通信が可能となり、増設親機を設けなくても居室親機以外の機器を用いて玄関子機と通信を実施できる。
【発明を実施するための最良の形態】
【０００６】
以下、本発明の実施形態の一例を図面に基づいて説明する。図１は、本発明に係るインターホン装置の一例を示すブロック図であり、１は玄関に設置されて居住者を呼び出すための玄関子機、２は住戸内に設置されて玄関子機１からの呼び出しに応答するための居室親機、３はアダプタ、４は外部機器を示し、玄関子機１及びアダプタ３は夫々信号線５ａ，５ｂで居室親機２に接続されている。尚、外部機器４は、例えばバスルームに設置された通話機能を備えた風呂用テレビである。
【０００７】
玄関子機１は、居住者を呼び出す呼出ボタン１１、来訪者を撮像するカメラ１２、居住者と通話するためのマイク１３及びスピーカ１４を備え、居室親機２は、来訪者と通話するためのハンドセット２１と、カメラ１２の撮像映像を映し出すモニタ２２を備えている。そして、この玄関子機１と居室親機２とで構成されるインターホン装置は、従来と同様の動作をする。即ち、来訪者が玄関子機１の呼出ボタン１１を押下したら、居室親機２にて呼び出しが成される。この呼び出しにより、居住者がハンドセット２１を取り上げたなら、玄関子機１との間で通話が可能となる。また、呼出ボタン１１の押下操作により、カメラ１２が撮像を開始し、居室親機２のモニタ２２にその撮像映像が映しだされる。
【０００８】
アダプタ３は、居室親機２との通信を可能とする居室親機用インターフェイスとしての幹線通信部３１、アダプタ３の状態を遷移させる状態遷移部３２、アダプタ３の状態を監視する状態監視部３３、状態の遷移に基づき外部機器４と通信を行う通信部３４、外部機器４からの入力信号が予め設定された所定の信号であったらボタン操作と判断して増設親機のボタン操作信号と同等の信号を発生するボタンインターフェイス部３５、玄関子機１からの映像を外部機器４へ出力する映像出力部３６と、玄関子機１からの音声を外部機器４へ出力する音声出力部３７と、外部機器４からの音声を入力する音声入力部３８を備えている。
尚、居室親機２には増設親機の接続を可能とする増設親機用インターフェイス（図示せず）が設けられており、アダプタ３の幹線通信部３１とこの増設親機用インターフェイスとが信号線５ｂで接続される。
【０００９】
以下、上記構成のインターホン装置の動作を図２の通信シーケンス図に基づいて説明する。玄関子機１の呼出ボタン１１が押下されると、呼出信号が居室親機２及びアダプタ３の幹線通信部３１に送信（Ｓ１）される。幹線通信部３１は、状態遷移部３２へ呼出信号を出力し、状態遷移部３２はアダプタ３の状態を待受から呼出待受に変更する。そして、状態監視部３３は、状態が待受から呼出待受になったら通信部３４より呼出信号を外部機器４へ出力（Ｓ２）させる。尚、玄関子機１の呼出ボタン１１操作により玄関子機１のカメラ１２は撮像を開始し、その撮像映像を居室親機２へ送信する。
状態が呼出待受時に、外部機器４よりボタン操作を行う旨の所定のボタン押下信号が通信部３４に入力（Ｓ３）されると、ボタンインターフェイス部３５は見掛け上のボタンの押下を行い、即ち増設親機のボタン操作信号と同等の信号を発生し、通話要求信号を居室親機２へ出力（Ｓ４）する。
【００１０】
居室親機２は、通話要求信号を受けてアダプタ３へ通話信号を出力（Ｓ５）する。アダプタ３は、幹線通信部３１にてその通話信号を受けたら、状態遷移部３２が通話状態へ移行する。この時、状態遷移監視部３３は、状態が呼出待受から通話へ変化したことを検出し、通信部より外部機器へ通話信号を出力する。そして、カメラ１２の撮像映像が映像出力部３６より出力されると共に、玄関子機１から来訪者の音声が音声出力部３７より出力可能（Ｓ６）となる。そして、居住者の音声が外部機器４を介して音声入力部３８へ入力可能となり、居室親機２を通じて玄関子機１へ送信でき、通話路が開かれる。
その後、外部機器４からボタン操作を行う旨の操作信号が通信部３４に入力（Ｓ７）されると、ボタンインターフェイス部３５にて見掛け上ボタンの押下が行われ、状態遷移部３２は状態を終話状態へ変化させ、終話要求信号を幹線通信部３１を通じて居室親機２へ出力（Ｓ８）し、通話路を閉じる。この時、状態監視部３３は、状態が通話から終話に変化したことを検出（Ｓ９）し、通信部３４より外部機器４へ終話信号を出力（Ｓ１０）する。
【００１１】
このように、居室親機の増設親機用インターフェイスに、外部機器を見かけ上増設親機の如く動作させるアダプタを接続することで、接続した外部機器とインターホン装置との間で通話や映像情報の伝送等の通信が可能となる。そのため、増設親機を設けることなく居室親機以外の機器を用いて玄関子機と通信を実施できるし、居室親機との通信も可能となる。また、アダプタはモニタや通話回路等を必要としないので増設親機より簡易な構成で済むため、安価に構成できる。
【００１２】
尚、上記実施形態は、来訪者を撮像するカメラ１２を備えたインターホン装置となっているが、勿論カメラの無いインターホン装置であっても、本発明は容易に適用でき、外部機器４を居室親機２に接続でき、通信を実施できる。但し、この場合アダプタ３に映像出力部３６は必要無くなる。また、外部機器４はパーソナルコンピュータとすることも可能であり、そうすることで玄関子機１から送られてきた映像信号をパーソナルコンピュータのメモリに保存することができるし、定期的にカメラ１２を動作させて録画することも可能となり、防犯性能を上げることができる。
【図面の簡単な説明】
【００１３】
【図１】本発明に係るインターホン装置の実施形態の一例を示す構成図である。
【図２】図１の居室親機と外部機器の間の通信シーケンス図である。
【符号の説明】
【００１４】
１・・玄関子機、２・・居室親機、３・・アダプタ、４・・外部機器、５ａ，５ｂ・・信号線、３１・・幹線通信部（居室親機用インターフェイス）、３３・・状態監視部、３４・・通信部、３５・・ボタンインターフェイス部。
【図１】
2005286836.tif 000003
【図２】
2005286836.tif 000004